(57)【要約】  【課題】  高度な編集処理技術を備えていない操作者であっても、楽しく鑑賞できる写真プリントを得るために、簡単な操作で被写体の瞳領域に装飾効果の高い編集作業が行なえる写真処理装置を提供する。  【解決手段】  記録媒体から写真画像データを読取る画像データ入力手段５と、入力された写真画像データに基づいて写真画像を表示する画像表示手段６と、表示された写真画像に基づいて写真画像データを編集処理する画像編集手段１３を備えてなる写真処理装置であって、画像編集手段１３に、被写体の瞳領域を検出する領域検出手段１３ａと、領域検出手段１３ａにより検出された瞳領域に装飾パターンを所定のサイズに変倍して貼り付ける貼付け編集手段１３ｂとを備える。  【選択図】  図２
2006053718.tif 000002
【特許請求の範囲】
【請求項１】
記録媒体から写真画像データを読取る画像データ入力手段と、入力された写真画像データに基づいて写真画像を表示する画像表示手段と、表示された写真画像に基づいて写真画像データを編集処理する画像編集手段を備えてなる写真処理装置であって、
前記画像編集手段に、被写体の瞳領域を検出する領域検出手段と、前記領域検出手段により検出された瞳領域に装飾パターンを貼り付ける貼付け編集手段とを備え、前記貼付け編集手段により貼付け編集された写真画像データを出力する写真画像データ出力手段を備えてある写真処理装置。
【請求項２】
前記画像編集手段に複数の装飾パターンを格納する装飾パターン記憶手段を備え、前記貼付け編集手段は前記装飾パターン記憶手段から選択された装飾パターンを読み出して、前記瞳領域に所定のサイズに変倍して貼り付けるように構成してある請求項１記載の写真処理装置。
【請求項３】
前記貼付け編集手段に、選択された装飾パターンの色を選択するカラー選択手段を設けてある請求項２記載の写真処理装置。
【請求項４】
任意の装飾パターンを前記装飾パターン記憶手段に登録する装飾パターン登録手段を設けてある請求項２記載の写真処理装置。
【発明の詳細な説明】
【技術分野】
【０００１】
本発明は、記録媒体から写真画像データを読取る画像データ入力手段と、入力された写真画像データに基づいて写真画像を表示する画像表示手段と、表示された写真画像に基づいて写真画像データを編集処理する画像編集手段を備えてなる写真処理装置に関する。
【背景技術】
【０００２】
近年、デジタルカメラや高画質のデジタルカメラ機能を備えた携帯電話機が急速に普及しており、そのようなカメラで撮影された写真画像を印画紙に写真プリントする需要が高まっている。このような要請に応えるために、写真フィルムの現像やプリントを行うラボ店では、銀塩写真フィルムに記録された画像をフィルムスキャナで読取り写真プリントを出力する写真処理装置に、このような撮影データが格納されたスマートメディアやＣＦカードなどのカード型メモリ（以下、「メディア」とも記す。）に対応したメディアドライバが搭載されているのに加えて、その店頭に顧客が自ら操作してカード型メモリから撮影データを読込ませて所望の写真プリントを出力する写真処理装置も設置されている。
【０００３】
このような環境下で、顧客は、自ら撮影した写真画像データをそのまま写真プリントするだけでなく、これらの画像に何らかの加工を施して楽しむ機会が増えてきている。例えば、写真の周りに飾り罫を付けたり、セピア調にして古い写真のように見えるようにしたり、或いは一枚の印画紙に同じ画像を複数焼き付ける等である。
【０００４】
一方、人物がストロボ撮影された写真画像では、目の瞳孔部分が赤く撮影される赤目現象がしばしば発生するが、このような赤目現象を補正するために、画像データ入力手段により入力された写真画像から人物の目の領域を検出して瞳孔部分を本来の色に補正する画像編集手段を備えた写真処理装置も提案されていた。
【特許文献１】特開平１１−３０８４７４号公報
【特許文献２】特開２０００−２３１６３９号公報
【発明の開示】
【発明が解決しようとする課題】
【０００５】
ところで、撮影時に被写体に特定のパターンの光を当てて瞳に光のパターンを映しこむキャッチライト処理や、特殊加工したフィルタを介して瞳等に光の装飾効果を醸し出すクロスフィルタ処理等により、同様の装飾効果を楽しむこともある。このような装飾効果を得るためには撮影時にそのような光源やフィルタを準備する必要があり逆に手間が掛かるので、一般的には使用される機会は少ないものであり、さらに、そのような撮影には熟練度が要求されるために、その利用は一部の専門家に限られていた。
【０００６】
また、撮影フィルム等に記録された画像に十分に装飾効果が現われていない場合には、フィルムスキャナ等で読取られた画像データに対して補正処理を行なわねばならないため、一般の顧客がそのような補正のための操作を行なうのは困難でもあった。
【０００７】
本発明は、上述した従来の問題点に鑑み、高度な編集処理技術を備えていない操作者であっても、楽しく鑑賞できる写真プリントを得るために、簡単な操作で被写体の瞳領域に装飾効果の高い編集作業が行なえる写真処理装置を提供する点にある。
【課題を解決するための手段】
【０００８】
上述の目的を達成するため、本発明による写真処理装置の第一の特徴構成は、特許請求の範囲の書類の請求項１に記載した通り、記録媒体から写真画像データを読取る画像データ入力手段と、入力された写真画像データに基づいて写真画像を表示する画像表示手段と、表示された写真画像に基づいて写真画像データを編集処理する画像編集手段を備えてなる写真処理装置であって、前記画像編集手段に、被写体の瞳領域を検出する領域検出手段と、前記領域検出手段により検出された瞳領域に装飾パターンを貼り付ける貼付け編集手段とを備え、前記貼付け編集手段により貼付け編集された写真画像データを出力する写真画像データ出力手段を備えてある点にある。
【０００９】
上述の構成によれば、画像データ入力手段により入力され、画像表示手段により表示された写真画像、つまり、顧客が撮影した写真画像を目視しながら、貼付け編集手段により被写体の瞳領域に所望の装飾パターンを貼付け編集できるので、専門的知識を備えた熟練者で無くともキャッチライト処理やクロスフィルタ処理のような装飾効果を含めた変化に富んだ装飾を施すことができるようになるのである。
【００１０】
同第二の特徴構成は、同請求項２に記載した通り、上述の第一特徴構成に加えて、前記画像編集手段に複数の装飾パターンを格納する装飾パターン記憶手段を備え、前記貼付け編集手段は前記装飾パターン記憶手段から選択された装飾パターンを読み出して、前記瞳領域に所定のサイズに変倍して貼り付けるように構成してある点にある。
【００１１】
領域検出手段により検出された瞳領域に貼付け編集可能な複数の装飾パターンを装飾パターン記憶手段に記憶させておくことで、顧客の好みに応じた装飾パターンを適宜選択でき、演出効果を高めることができるものであり、選択された装飾パターンが貼付け編集手段により瞳領域にマッチするように所定サイズに変倍された後に貼り付けられるので、写真画像に撮影されている被写体の様々な大きさの瞳領域に対して装飾パターンが大き過ぎたり小さ過ぎたりするような不自然な貼り付け状況に至ることが無く、しかも、そのような変倍操作を、顧客を含むオペレータが行なう必要が無いために貼付け編集のための操作性も極めて優れたものとなるのである。
【００１２】
同第三の特徴構成は、同請求項３に記載した通り、上述の第二特徴構成に加えて、前記貼付け編集手段に、選択された装飾パターンの色を選択するカラー選択手段を設けてある点にある。
【００１３】
同じ装飾パターンであっても異なる色毎に異なる装飾パターンとして前記装飾パターン記憶手段に記憶させると、記憶容量の増大を招くばかりか選択操作する際に却って煩雑となる。そのため、色の異なる同一の装飾パターンは一つのパターンとして記憶しておき、貼付け編集の際に色を選択するカラー選択手段を備えることにより、操作性を大きく向上させることができるようになるのである。
【００１４】
同第四の特徴構成は、同請求項４に記載した通り、上述の第二特徴構成に加えて、任意の装飾パターンを前記装飾パターン記憶手段に登録する装飾パターン登録手段を設けてある点にある。
【００１５】
この場合には、顧客を含むオペレータの趣味に合致した装飾パターンを登録することが可能になるので、よりオリジナリティの高い貼付け編集が可能になるのである。
【発明の効果】
【００１６】
以上説明した通り、本発明によれば、高度な編集処理技術を備えていない操作者であっても、楽しく鑑賞できる写真プリントを得るために、簡単な操作で被写体の瞳領域に装飾効果の高い編集作業が行なえる写真処理装置を提供することができるようになった。
【発明を実施するための最良の形態】
【００１７】
以下に本発明による写真処理装置の実施の形態を説明する。写真ラボ店等の店頭に設置された写真処理装置の一例である写真プリント受付装置１は、図１に示すように、ケース２の上部に設置された写真注文処理部３と、前記ケース２の内部に収容された昇華型の写真プリンタ４を備えて構成され、前記写真注文処理部３で注文入力された写真プリントに対する料金の精算が行なわれた後に前記写真プリンタ４が作動して、前記ケース下部のプリント取出口２ａに写真プリントが出力されるように構成されている。
【００１８】
前記写真注文処理部３は、顧客が所持するＣＤ、ＣＦカード、ＳＤメモリカード、またはＣＤ−Ｒ、ＤＶＤ等の各種の可搬性の記録媒体に記憶された写真画像データを読み取るための画像データ入力手段としての複数種類のメディアドライバ５と、前記メディアドライバ５により読み込まれた写真画像を表示する画像表示手段としての液晶表示部６と、前記液晶表示部６に表示された写真画像に対してプリント枚数やプリントサイズ等の注文データを入力するべく、前記液晶表示部６の表面に配置された操作入力手段としてのタッチパネル７と、前記タッチパネル７から入力された注文データを受け付けてジョブ受付データが印字された注文受付票８ａを出力する受付データ出力手段としての熱転写プリンタ８と、前記注文受付票に基づいた料金支払カウンタでの料金精算時に発行されたレシートの内容を読み取る精算データ入力手段としてのバーコードリーダ９などを備えて構成されている。
【００１９】
前記写真処理装置１の写真注文処理部３を機能ブロックに分割して説明すると、図２に示すように、複数のメディアドライバ５と、入出力ラインを介して接続されたメディアドライバ５から画像ファイル入力部１０を介して入力された写真画像データを格納するストレージデバイスとしてのハードディスク１１と、前記ハードディスク１１に格納された写真画像データに基づいて写真画像を表示する画像表示手段としての液晶表示部６及び画像表示バッファ１４と、表示された写真画像に対するプリント注文データを入力する操作入力手段（タッチパネル）７と、前記タッチパネル７を介した操作により前記画像表示手段６に表示された画像に対して所望の編集処理を行なう画像編集手段１３と、編集後の画像データ及び注文データを注文ファイルとして生成管理し前記ハードディスク１１に格納する注文データ処理部１５と、受け付けられた注文データを出力する注文データ出力手段としての受付票プリンタ８と、受付票に基づいて料金が精算された際に発行される精算票に基づいて精算の完了を読み取る前記バーコードリーダ９と、前記バーコードリーダ９で読み取られた精算済みデータに基づいて入出力ラインを介して接続された写真プリンタ４にプリントデータを出力する写真画像データ出力手段１６等を備えて構成されている。
【００２０】
前記写真注文処理部３は、所定のオペレーティングシステムの下で作動するＣＰＵ及びキャッシュメモリ等を備えたパーソナルコンピュータで構成され、オペレーティングシステム及び本発明を実現するアプリケーションプログラムが予めハードディスク１１にインストールされ、当該アプリケーションプログラムがＣＰＵにより実行されることにより上述の各機能ブロックが動作して所定の機能が実現されるものである。
【００２１】
即ち、メディアドライバ５から入力され、ハードディスク１１に格納された画像データがＲＡＭでなる画像メモリ１２に読み出され、ＶＲＡＭでなる画像表示バッファ１４にビットマップ展開されて液晶表示部６に表示される。液晶表示部６に表示された画像を確認した注文者は、タッチパネル７を介して注文者情報、プリントサイズ、枚数などの注文情報を入力するとともに、当該画像に対して所望の画像編集操作を行なう。所定の注文入力が終了すると注文データ処理部１５により画像データとプリント注文データを関連付けた注文ファイルが生成され、前記ハードディスク１１に当該注文ファイルが格納されるとともに、受付票プリンタ８から受付票が印字出力される。当該受付票には受付管理番号の他に料金等のデータが印字されており、受領した注文者がキャッシャーで料金を支払うと受付管理番号及び精算済みデータがバーコードで記された精算票が発行される。注文者が精算票を前記バーコードリーダ９に読込ませると該当する写真プリントが前記プリント取出口２ａから出力される。
【００２２】
前記画像編集手段１３は、前記液晶表示部６に表示された写真画像に対して、被写体の瞳領域を検出する領域検出手段１３ａと、前記領域検出手段１３ａにより検出された瞳領域に装飾パターンを貼り付ける貼付け編集手段１３ｂと、前記装飾パターンの色を選択するカラー選択手段１３ｃと、画像濃度を調整する濃度補正手段１３ｄと、カラーバランスを調整するカラー補正手段１３ｅと、所望のサイズに拡大または縮小処理する拡縮処理手段１３ｆ等を備えて構成され、撮影画像を注文者の好みに合わせて編集処理できるように構成されている。
【００２３】
以下、上述の写真処理装置１に対する注文入力手順及び編集手順を、図７に示すフローチャートに基づいて説明する。前記液晶表示部６の初期画面には、図３（ａ）に示すように、証明写真７ａ、写真プリント７ｂ、電子アルバム７ｃの各モードアイコンが表示され、画面上部には「ご希望のボタンを押してください。」７ｄとメッセージ表示されている。初期画面から「写真プリント」アイコン７ｂがクリックされると（Ｓ１）、図３（ｂ）に示すように、画面が切り替わり「デジタルカメラのカードを挿入してください」７ｅというメッセージが表示されるとともに無地の画像枠７ｆが複数枚分表示される。該当するメディアドライバ５にメディアをセットすると（Ｓ２）、「読み取り中です。」というメッセージが表示されてメディアから画像データが読込まれてハードディスク１１に格納される（Ｓ３）。尚、画面右下の「戻る」アイコン７ｇがタッチされると初期画面に戻る。
【００２４】
写真画像データが読込まれると、図４に示すように、所定枚数（ここでは４枚）の写真画像が画像枠に表示される（Ｓ４）。このとき、メディアに撮影画像データとともにサムネイル画像データが格納されているときにはそのサムネイル画像データに基づいて表示され、格納されていないときには撮影画像データから生成されたサムネイル画像データに基づいて表示される。さらに画面上部に「出力する画像を選択して種類・サイズ・枚数・編集モードを設定してください。」というメッセージが表示され注文情報の入力が促される。
【００２５】
操作者により任意のサムネイル画像がタッチされると画面右上の選択画像番号欄７ｈに選択されたサムネイル画像番号が表示される。その下方に表示されたカラー、セピア、白黒の何れかのチェックボックス７ｉをタッチしてチェックマークを入れることでプリント種類が指定され、さらに、Ｌサイズ、Ｈサイズ、シールの何れかのチェックボックス７ｊをタッチしてチェックマークを入れることでプリントサイズが指定される。プリント枚数は枚数表示欄７ｋの右側に表示されるアップダウンキーで設定される（Ｓ５）。編集モードを設定しない場合には（Ｓ６）、当該サムネイル画像の設定を終了し、他のサムネイル画像の設定が行なわれる。画面に表示されたサムネイル画像の設定が終了し、画面中央下部に表示されたページ更新キー７ｍが操作されると新たなサムネイル画像が表示されるので同様の設定操作を行ない、最終の画像に対する設定が終了して画面右下の「終了」アイコン７ｎがタッチされると（Ｓ１３）、前記注文データ処理部１５により画像データとプリント注文データを関連付けた注文ファイルが生成され、前記ハードディスク１１に当該注文ファイルが格納されるとともに、前記受付票プリンタ８から受付票が印字出力される。
【００２６】
上述のステップＳ６で貼付け編集等の画像編集が行なわれる場合には、図４に示す「編集」アイコン７ｌをタッチすることにより、図５に示すような、選択画像が拡大表示される編集画面に移行する。画面右側には、画像を拡大プリントする拡大操作、縮小プリントする縮小操作を行なう倍率アップダウンキー７ｏ、画像濃度を調整する明暗キー７ｐ、イェロー、マゼンダ、シアンの各色を調整してカラーバランスを調整するカラー調整キー７ｑの他、貼付け編集を行なうための領域検出キー７ｒ、装飾パターンを選択する装飾パターン選択キー７ｓ、選択された装飾パターンの表示色を選択する色選択キー７ｔ、上述の種々の編集操作を一操作ずつ取り消して前の操作段階に戻る取消キー７ｕ、編集操作を終了して図４の画面に戻るための戻るキー７ｖ等が配列されている。尚、前記カラー調整キー７ｑによるカラーバランスの調整については詳述しないが、当該キーをタッチすることによりイェロー、マゼンダ、シアンの各色の色合いを調整するための設定キーが表示され、夫々個別に調整できるように構成されている。
【００２７】
ここでは、画像編集の中で貼付け編集が選択される場合を詳述する。前記領域検出手段１３ａは被写体の瞳領域を検出するもので、本実施形態では、操作者により指定された二点を対角とする矩形領域内における明度または彩度が所定の閾値より低い連続画素領域を瞳領域として検出するように構成してある。前記貼付け編集手段１３ｂは、前記領域検出手段１３ａにより検出された瞳領域に装飾パターンを貼り付けるもので、前記ハードディスク１１に区画された記憶領域に予め複数の装飾パターンが格納されてなる装飾パターン記憶手段から操作者により選択された装飾パターンを読み出し、さらに前記カラー選択手段１３ｃにより選択された色に読み出した装飾パターンを着色して、前記瞳領域に所定のサイズに変倍して貼り付ける。
【００２８】
図７のフローチャートに戻り、図５に示す編集画面で領域検出アイコン７ｒがタッチされると、前記領域検出手段１３ａが起動され、サムネイル画像上にポイント指定用の矢印７０が表示される。操作者が当該矢印７０の後端部分に設定されたタッチ領域７１を指で押圧して画面上をスライド移動させて一方の目を含む矩形領域の左上頂点となる第一の所定の位置で指を離すことにより第一のポイントが指定され、さらにタッチ領域７１を指で押圧して画面上をスライド移動させて右下頂点となる第二の所定の位置で指を離すことにより第二のポイントが指定される。操作者によりこの二点を対角とする矩形領域内に被写体の瞳が含まれるようにポイントが指定されると、当該矩形領域内における明度または彩度が所定の閾値より低い連続画素領域が瞳領域として検出される（Ｓ７）。
【００２９】
次に、装飾パターンアイコン７ｓがタッチされると、図５に示すような複数の装飾パターンがプルダウンメニュー形式で表示され、メニュー右側上下に表示されたアップダウンキーを操作することにより所望の装飾パターンを探し出し、その装飾パターンをタッチすることにより貼り付けられる装飾パターンが選択され、上述の瞳領域にその領域内に収まるように変倍された後に貼り付けられる（Ｓ８）。前記プルダウンメニューに表示される装飾パターンは前記装飾パターン記憶手段に記憶された所定サイズの装飾パターンが縮小されたサムネイル画像で、選択された装飾パターンのサムネイル画像に対応する装飾パターンデータが前記装飾パターン記憶手段から読み出された後に、変倍されて前記瞳領域に貼り付けられるものである。
【００３０】
装飾パターンが貼り付けられると、前記カラー選択手段１３ｃが起動され、表示されている写真画像の右下にカラーパレット７２が表示される。操作者がカラーパレット７２の中から好みの色をタッチして選択すると、当該装飾パターンの表示色がデフォルト値（例えば白色）から選択されたカラーに変化し（Ｓ９）、最終的に装飾パターンの貼付け処理が終了する（Ｓ１０）。つまり、ステップＳ１０では、液晶表示部６の写真画像に装飾パターンが表示されるとともに、当該表示画像を識別するＩＤデータ（コマナンバー等）に、貼付け位置データ、装飾パターンのＩＤデータ、倍率データ、カラーデータの各属性データが付与された貼付け編集データが生成されるのである。このような貼付け編集データは各写真画像ごとに生成され、プリントサイズや枚数データとともにプリント注文番号で識別可能な注文ファイルとして前記ハードディスク１１に格納され、プリント出力時に当該注文ファイルの内容に従って本来の高解像度データに対して編集処理が実行されるものである。
【００３１】
操作者が、装飾パターンが貼り付けられた写真画像を目視評価して、変更する必要があると判断したときには取消キー７ｕをタッチすることにより一ステップ前の処理に戻るように構成されている。従って、取消キー７ｕの操作回数で複数ステップ前の状態に遡って再操作ができるように構成されている（Ｓ１１）。これでよいと評価したときには他方の目に対しても同様の操作が行なわれる。被写体は人物に限るものではなく、愛玩動物等であってもよい。また一画像に含まれる複数の被写体に対しても同様の操作が可能である。
【００３２】
当該写真画像に対する貼付け編集が終了して（Ｓ１２）、画面右下の戻るキー７ｖがタッチされると図４に示す画像に戻り、引き続き必要な注文操作のための入力が行なわれ、最終的に注文入力が終了すると（Ｓ１３）、注文ファイルが生成されて前記ハードディスク１１に記録されるとともに（Ｓ１４）、前記受付票プリンタ８から受付票が出力される（Ｓ１５）。
【００３３】
図８に示すように、操作者が受付票に基づいてキャッシャーに移動して代金を精算すると、受付管理番号及び精算済みデータがバーコードとして記録された精算票が発行されるので、写真処理装置の設置位置に戻って、前記バーコードリーダ９から精算票のバーコードを読込ませると（Ｓ２１）、前記注文データ処理部１５により受付管理番号に基づいて注文ファイルが読み出され（Ｓ２２）、前記写真画像データ出力手段１６により、注文ファイルに記録されている注文データに基づいて、対象画像つまり高解像度のオリジナルの撮影画像に対する編集処理、即ち変倍、濃度調整、カラーバランス調整、貼付け編集等が施されて最終の写真画像データ、つまりプリントデータが生成され（Ｓ２３）、前記写真プリンタ４に出力される。前記写真プリンタ４は、入力されたプリントデータに基づいて写真プリントを生成して前記プリント取出口２ａから出力する（Ｓ２４）。上述の貼付け編集により得られた最終の写真プリントのサンプル画像を図９に示す。
【００３４】
上述の実施形態では、複数の装飾パターンデータが前記装飾パターン記憶手段に予め記憶されているものを説明したが、任意の装飾パターンを前記装飾パターン記憶手段に登録する装飾パターン登録手段を設けてもよい。例えば、図３（ａ）に示す初期画面に装飾パターン登録用のアイコンを設けて、当該アイコンがタッチされたときに装飾パターン登録モードに移行して、予め好みの装飾パターンが格納されたメディアを読込ませて前記装飾パターン記憶手段に新規の装飾パターンとして格納するように構成するものであってもよい。
【００３５】
また、装飾パターン登録手段に描画ソフトを組み込み、操作者の好みの装飾パターンを描画ソフトを用いて作成可能に構成し、作成された装飾パターンを前記装飾パターン記憶手段に新規の装飾パターンとして格納するように前記装飾パターン登録手段を構成するものであってもよい。
【００３６】
上述の実施形態では、昇華型の写真プリンタ４が内蔵された写真処理装置について説明したが、写真プリンタとしてはインクジェットプリンタ等他の方式を採用するプリンタであってもよい。また、写真プリンタを内蔵するものではなく、ネットワークを介して最寄のラボショップに設置された銀塩方式の写真プリンタで出力するように構成されたものであってもよい。この場合には、後日、受付票と代金と引き換えに写真プリントが引き渡されるようにすることも可能である。
【００３７】
上述した実施形態では、領域検出手段を、指定された矩形領域内における明度または彩度が所定の閾値より低い連続画素領域を瞳領域として検出するものを説明したが、領域検出手段による瞳領域の検出方法はこれに限定されるものではなく、赤目補正のために瞳領域を検出する等で採用される公知の検出方法を採用することが可能である。また、検出された瞳領域に装飾パターンを貼り付けるのに代えて、或いは装飾パターンの貼付けに加えて瞳領域の色を他の色に変換する色変換編集手段を設けてもよい。この場合には、貼付け編集用の操作キーに瞳領域の色変換キーをさらに設け、当該色変換キーをタッチすることによりカラーパレットが表示され、当該カラーパレットの所望の色をタッチすることにより瞳の色が変換されるように構成することができる。
【００３８】
上述した実施形態では、デジタルカメラによる撮影画像が記録されたメディアから写真画像が読み取られるものを説明したが、現像済みのフィルムから画像データを読み取るフィルムスキャナを備えた写真処理装置に適用することも可能である。
【００３９】
上述した実施形態は本発明の一具体例に過ぎず、貼付け編集のための操作キーの種類や数、操作手順はこれに限定されるものではない。また、初期画面で選択された写真プリントモードでの張り付け編集について説明したが、加工したプリント画像データをＣＤ−Ｒ等のメディアに記録して提供する電子アルバムモードにも採用可能であることはいうまでもない。
【図面の簡単な説明】
【００４０】
【図１】写真処理装置の外観図
【図２】写真処理装置の機能ブロック構成図
【図３】表示画面の説明図
【図４】表示画面の説明図
【図５】表示画面の説明図
【図６】表示画面の説明図
【図７】フローチャート
【図８】フローチャート
【図９】貼付け編集写真のサンプルの説明図
【符号の説明】
【００４１】
１：写真処理装置
３：写真注文処理部
５：画像データ入力手段（メディアドライバ）
６：画像表示手段（液晶表示部）
７：操作入力手段
８：受付票プリンタ
９：バーコードリーダ
１０：画像ファイル入力部
１１：ハードディスク（装飾パターン記憶手段）
１２：画像メモリ
１３：画像編集手段
１３ａ：領域検出手段
１３ｂ：貼付け編集手段
１３ｃ：カラー選択手段
１５：注文データ処理部
【図１】
2006053718.tif 000003
【図２】
2006053718.tif 000004
【図３】
2006053718.tif 000005
【図７】
2006053718.tif 000006
【図８】
2006053718.tif 000007
【図４】
2006053718.tif 000008
【図５】
2006053718.tif 000009
【図６】
2006053718.tif 000010
【図９】
2006053718.tif 000011